(57)【要約】      （修正有）【課題】遠赤外線温熱器を提供する。【解決手段】ケース２は上端に開口２１１が設けられ、開口の下方に遠赤外線発熱体４が設けられ、遠赤外線発熱体の下方に全面的に発熱する遠赤外線発熱体を支持する支持構造５が設けられる。遠赤外線発熱体は制御装置６に電気的に接続され、制御装置はケースに設けられるタッチパネル６３が含有され、ユーザーがそれを押すと、遠赤外線発熱体がオンになって遠赤外線を発生し、ケースの開口から外へ出射する。【選択図】図２
0003120486.tif 000002
【実用新案登録請求の範囲】
【請求項１】
上端に開口が形成されるケースと、
ケースの開口の下方に設けられる支持構造と、
支持構造の上方に放置される遠赤外線発熱体と、
遠赤外線発熱体に電気的に接続され、遠赤外線を発生して、ケースの開口から外へ出射する制御装置と、
が含有される
ことを特徴とする遠赤外線温熱器。
【請求項２】
更に、パネルが含有され、当該パネルは、遠赤外線発熱体の上方に設けられることを特徴とする請求項１に記載の遠赤外線温熱器。
【請求項３】
更に、防水ワッシャが含有され、当該防水ワッシャにより、ケースの開口の周縁とパネルとの間が封止されることを特徴とする請求項２に記載の遠赤外線温熱器。
【請求項４】
当該ケースは、ベースと上蓋が含有されることを特徴とする請求項１に記載の遠赤外線温熱器。
【請求項５】
当該ケースは、円弧状であることを特徴とする請求項１に記載の遠赤外線温熱器。
【請求項６】
当該支持構造は、互いに交差する強化リブであることを特徴とする請求項１に記載の遠赤外線温熱器。
【請求項７】
当該遠赤外線発熱体は、絶縁板と、絶縁板の内部に介在する炭素繊維と、炭素繊維に接続される電極とが含有され、当該電極は、制御装置に電気的に接続されることを特徴とする請求項１に記載の遠赤外線温熱器。
【請求項８】
当該炭素繊維は、絶縁板の内部において、面状に配列されることを特徴とする請求項７に記載の遠赤外線温熱器。
【請求項９】
当該制御装置は、制御回路板と、少なくとも一つのタッチスイッチと、センサーと、少なくとも一つのタッチパネルとが含有され、当該制御回路板とタッチスイッチとセンサーとが電気的に接続され、当該タッチパネルは、ケースに設けられ、当該タッチパネルとタッチスイッチとが接続され、遠赤外線発熱体のオン／オフを制御することを特徴とする請求項１に記載の遠赤外線温熱器。
【考案の詳細な説明】
【技術分野】
【０００１】
本考案は、遠赤外線温熱器に関し、特に、支持構造で全面的に発熱する遠赤外線発熱体を支持し、また、遠赤外線がケースの開口から外へ出射する構造を有し、脚部や肩、背中或いは他の部位に使用される遠赤外線温熱器に関する。
【背景技術】
【０００２】
緊張且つ忙殺である工商社会において、長期的にオフィスで仕事する人は、長時間に座るため、体の気血循環が悪くなって、体の機能が正常に発揮できなくなる。また、ある人は、体質が悪いため、容易に、手足冷え症の現象が起こり、特に、冬場ではより厳重になる。
【０００３】
上記の問題を解消するため、運動することが、最も良い方法であるが、全ての人は、運動する時間を有することが限らず、また、時間があっても運動する気がないものが多い。そのため、大勢の人は、市販の様々の温熱装置を利用し、例えば、温しっぷパッドや脚浴器により、体の血液循環を向上して、体の温暖を求める。
【０００４】
従来の温しっぷパッドの内部に、主として、間を置いて往復に曲がる加熱線が設けられ、加熱する時、温しっぷパッド全体の温度が一致にならず、また、当該温しっぷパッドは、主として、体のある部位に利用され、足のパッドとして利用される場合、容易に汚くなり、また、更に、手動制御スイッチを用意しなければならない。また、一般の脚浴器は、ユーザーにとって、加水加熱してから温熱の効果が得られるため、面倒くさいことになり、また、体積が非常に大きい。
【０００５】
上記の２種類の温熱装置は、遠紅線で加温することでなく、一般の熱の伝達を利用するため、人体の血液循環を促進する効果が、充分ではない。
【０００６】
本考案者は、上記の欠点を改善するため、長年の経験に基づいて慎重に研究した結果、ユーザーの操作が便利で、体の各部位に利用でき、また、遠赤外線の加熱効果により、人体細胞を活化して、健康を促進できる遠赤外線温熱器を考案した。
【考案の開示】
【考案が解決しようとする課題】
【０００７】
本考案の主な目的は、全面的に遠赤外線で加熱する構造により、快速的に温熱の効果が得られる遠赤外線温熱器を提供する。
【０００８】
本考案の他の目的は、円弧状ケースと支持構造との組立てにより、遠赤外線発熱体が支持され、脚部や肩、背中或いは他の部位に適用できる遠赤外線温熱器を提供する。
【０００９】
本考案の更に他の目的は、ケースに設けられるタッチパネルの構造により、ユーザーが遠赤外線発熱体を制御することが、より便利的である遠赤外線温熱器を提供する。
【課題を解決するための手段】
【００１０】
本考案は、上記の考案目的を達成するために、ケースと、支持構造と、遠赤外線発熱体と、制御装置とが含有される遠赤外線温熱器である。当該ケースの上端に開口が形成され、当該支持構造が、当該ケースの開口の下方に設けられ、当該遠赤外線発熱体が、支持構造の上方に収納され、当該制御装置が、当該遠赤外線発熱体に電気的に接続され、遠赤外線を発生し、遠赤外線がケースの開口から外へ出射する。
【００１１】
上記の遠赤外線発熱体は、絶縁板と、絶縁板の内部に介在し面状に配列される炭素繊維と、炭素繊維に接続される電極とが含有され、当該電極は、制御装置に電気的に接続される。
【００１２】
当該制御装置は、表示スクリーンと、制御回路板と、少なくとも一つのタッチスイッチと、センサーと、少なくとも一つのタッチパネルとが含有され、当該表示スクリーンと制御回路板とタッチスイッチとセンサーとが、電気的に接続され、遠赤外線発熱体のオン／オフを制御する当該タッチパネルは、ケースに設けられ、また、タッチスイッチに接続される。
【考案を実施するための最良の形態】
【００１３】
図１、２は、本考案に係わる遠赤外線温熱器１のより良い実施例であり、ケース２と、パネル３、遠赤外線発熱体４と、支持構造５と、制御装置６とが含有される。
【００１４】
当該ケース２は、上へ円弧に突出する長方体であり、上下に組立てられる上蓋２１とベース２２とが含有される。当該上蓋２１は、上端において、中央部にやや長方形である開口２１１が形成され、当該上蓋２１の上端の一側において、中央部に表示スクリーン２１２が設けられ、当該上蓋２１は、４隅に、それぞれ、溝２１３が設けられ、上記の同一側の隅に、それぞれ、欠け口２１４が形成される。当該ベース２２は、やや長方形で、上端において、中央部に凹槽２２１が設けられ、当該凹槽２２１は、周りにそれぞれ位置付け部品２２２が設けられる。また、当該ベース２２の底部に、ベース２２と上蓋２１を支持するための複数の支持ブロック２２３が設けられる。
【００１５】
当該パネル３は、透明や半透明のガラス繊維や他の人体の重量によって断切しない材質から構成され、開口２１１を完全に覆うように、上蓋２１の開口２１１の下方に設置され、当該上蓋２１の開口２１１の周縁とパネル３の周縁との間に、枠状の防水ワッシャ３１が介在する。
【００１６】
当該遠赤外線発熱体４は、長方形である薄い板で、パネル３の下方に設置され、絶縁板４１と、絶縁板４１の内部に介在し面状に配列される炭素繊維４２と、炭素繊維４２に接続される電極４３とが含有される。
【００１７】
当該支持構造５は、長方形状で、複数の互いに交差する強化リブ５１からなり、互いに交差する形状は、十字形や菱形、ミツバチの巣形或いは他の形状であり、当該支持構造５は、遠赤外線発熱体４の下方に設けられ、４隅が、それぞれ、ベース２２の周りの位置付け部品２２２によって制限されて、ベース２２の凹槽２２１に嵌設固定され、遠赤外線発熱体４とパネル３を支持する。
【００１８】
当該制御装置６は、制御回路板６１と、二つのタッチスイッチ６２と、センサー（図中未表示）と、二つのタッチパネル６３とが含有され、当該制御回路板６１とタッチスイッチ６２とセンサーとが、遠赤外線発熱体４の電極４３に電気的に接続される。当該制御回路板６１に複数のLED灯６１１が設けられ、当該LED灯６１１は、上蓋２１の表示スクリーン２１２において、インジケータを点灯し、当該二つのタッチスイッチ６２は、それぞれ、ベース２２一側の両端に固定され、当該センサーは、温度の変化を検知し、遠赤外線発熱体４と支持構造５との間に配置され、当該二つのタッチパネル６４は、それぞれ、突出部６３１が設けられ、二つのタッチパネル６４がそれぞれ上蓋２１の同一側の二つの隅の溝２１３の内に放置されると、当該二つの突出部６３１がそれぞれ上蓋２１の対応する欠け口２１４に挿入し、タッチパネル６３とタッチスイッチ６２とが連結され、遠赤外線発熱体４のオン／オフを制御することに供する。
【００１９】
本考案によれば、上蓋２１と、防水ワッシャ３１と、パネル３と、遠赤外線発熱体４と、支持構造５と、ベース２２とを、順に上から下へ組立てた後、上へ突出する長方体が形成され、タッチパネル６４を押すことにより、タッチスイッチ６１１が連動され、これにより、遠赤外線発熱体４の加熱時間や温度は、制御され、また、上蓋２１の表示スクリーン２１２に表示される。
【００２０】
ユーザーが足部や肩或いは背中を温熱する時、円弧形の設計により、パネル３が人体に完全に貼り付くことが出きる。遠赤外線発熱体４が全面的に遠赤外線を出射するため、快速的に温熱の効果を達成でき、また、当該タッチパネル６４が、直接に上蓋２１の両端に設けられるため、操作が非常に便利的である。
【００２１】
そのため、本考案は、以下の利点が得られる。
【００２２】
１、本考案は、全面的に遠赤外線で加熱する構造により、快速的に温熱の効果が得られる。
【００２３】
２、本考案は、ケースと支持構造とを組立てることにより、遠赤外線発熱体が支持され、脚部や肩、背中或いは他の部位に適用できる。
【００２４】
３、本考案は、円弧形の設計により、パネルが人体に完全に貼り付くことができ、使用する時、より人間工学的で、より効率的である。
【００２５】
４、本考案によれば、ユーザーが直接に手や脚でケース上のタッチパネルを押すことにより、遠赤外線発熱体のオン／オフを制御し、使用する時、より便利的である。
【００２６】
上記の説明のように、本考案は、予期の目的を達成でき、ユーザーの操作が便利で、体の各部位に適用でき、また、遠赤外線の加熱効果により、人体細胞を活化して、健康を促進できる遠赤外線温熱器であり、実用的なものであるため、法に従って実用新案登録請求を出願する。
【図面の簡単な説明】
【００２７】
【図１】本考案の実施例の立体外観図
【図２】本考案の実施例の素子分解図
【符号の説明】
【００２８】
１            遠赤外線温熱器
２            ケース
２１          上蓋
２１１        開口
２１２        表示スクリーン
２１３        溝
２１４        欠け口
２２          ベース
２２１        凹槽
２２２        位置付け部品
２２３        支持ブロック
３            パネル
３１          防水ワッシャ
４            遠赤外線発熱体
４１          絶縁板
４２          炭素繊維
４３          電極
５            支持構造
５１          強化リブ
６            制御装置
６１          制御回路板
６１１        LED灯
６２          タッチスイッチ
６３          タッチパネル
６３１        突出部
【図１】
0003120486.tif 000003
【図２】
0003120486.tif 000004